(57)【要約】【課題】空調器や給湯器に異常が発生した場合の連絡先としてできるだけユーザの希望に沿った連絡先を速やかに報知できる技術を提供する。【解決手段】空調器１の各部に設置された図略の異常センサの検出信号に基づき、空調器１における異常の有無を検出する異常検出部３７と、時間帯に応じて優先順位が設定された複数の連絡先情報を予め記憶している連絡先情報記憶部３８と、異常検出部３７により当該空調器１の異常が検出されると、異常を検出した時点の時刻が属する時間帯に対して設定された優先順位にしたがって、連絡先情報を表示部３６に切り替え表示させる表示制御部３９とを空調器１に備えた。【選択図】図２
2009293824.tif 000002
【特許請求の範囲】
【請求項１】
空調器（１）又は給湯器において異常が発生した場合に連絡先を報知する連絡先報知システムであって、
メッセージを表示する表示部（３６）と、
前記空調器（１）又は給湯器における異常の有無を検出する異常検出部（３７）と、
前記空調器（１）又は給湯器に異常が発生したときに連絡可能な連絡先として予め設定された複数の連絡先の情報を予め記憶する記憶部（３８）と、
前記異常検出部（３７）により異常が検出されると、前記記憶部（３８）に予め記憶されている複数の連絡先の情報のうち予め定められた条件に応じた連絡先の情報を前記表示部（３６）に表示させる表示制御部（３９）と
を備える連絡先報知システム。
【請求項２】
前記複数の連絡先の情報は、表示順が予め設定された状態で前記記憶部（３８）に予め記憶されている請求項１に記載の連絡先報知システム。
【請求項３】
前記記憶部（３８）に予め記憶されている複数の連絡先の情報は、時間帯に応じて表示順が設定されている請求項２に記載の連絡先報知システム。
【請求項４】
前記記憶部（３８）に予め記憶されている複数の連絡先の情報は、暦に応じて表示順が設定されている請求項２に記載の連絡先報知システム。
【請求項５】
前記記憶部（３８）に予め記憶されている複数の連絡先の情報は、曜日に応じて表示順が設定されている請求項２に記載の連絡先報知システム。
【請求項６】
前記表示部（３６）は、連絡先の情報を切り替え表示するものであり、
前記表示部（３６）に表示する連絡先の情報を切り替える入力を行うための入力操作部（２３，４０）を有し、
前記表示制御部（３９）は、前記連絡先の情報を前記表示順にしたがって前記表示部（３６）に表示させるとともに、前記入力操作部（２３，４０）による入力に応じて前記表示部（３６）に切り替え表示させる請求項２ないし５のいずれか一項に記載の連絡先報知システム。
【請求項７】
前記表示部を備えるとともに、前記空調器（１）又は給湯器の動作を指示する入力を遠隔的に行うための複数のリモコン（４５）を有し、
前記記憶部（３８）は、前記各リモコン（４５）と連絡先の情報との対応関係を予め記憶し、
前記表示制御部（３９）は、連絡先を表示すべきリモコン（４５）に対応する連絡先の情報を前記記憶部（３８）の記憶内容から導出し、この導出した連絡先の情報を当該リモコン（４５）の表示部に表示する請求項１に記載の連絡先報知システム。
【請求項８】
前記表示制御部（３９）は、前記記憶部（３８）に予め記憶されている複数の連絡先の情報を前記表示部（３６）に一覧形式で表示させる請求項１に記載の連絡先報知システム。
【発明の詳細な説明】
【技術分野】
【０００１】
本発明は、室内の空気の冷暖房をはじめとする空調動作を行う空調器や、給湯動作を行う給湯器の技術分野に属し、特に、空調器や給湯器に異常が発生した場合の連絡先をユーザに報知する連絡先報知システムに関するものである。
【背景技術】
【０００２】
従来、室内の空気の冷暖房をはじめとする空調動作を行う空調装置システムは、冷媒を圧縮する圧縮機を備えるとともに、所謂室内機に搭載される室内熱交換器と、所謂室外機に搭載される室外熱交換器とを有して構成されており、前記室外熱交換器及び室内交換器を、前記圧縮機により圧縮された冷媒を凝縮する凝縮器又は凝縮された冷媒を蒸発させる蒸発器として機能させることで、冷房運転又は暖房運転を実施する。
【０００３】
ところで、このような空調器においては、当該空調器に異常が発生し正常な空調動作を実施できなくなると、室内に居る人間の快適性が急激に著しく損なわれ、該人間の作業効率や集中力が大幅に低下する可能性が高いことから、速やかな修理依頼の連絡を行えるように、説明書での記載だけでなく、予め定められた１つの連絡先（電話番号等）を所定の表示画面に表示するように構成されていることが多い。
【０００４】
一方、下記特許文献１には、この連絡先の表示に関し、「燃焼時間が１万時間を超えた後にガス給湯機に異常が発生した場合に「ガス給湯機の交換が必要です。連絡先は東陶機器株式会社、電話番号は、＊＊＊＊です。」と報知される。また、操作部６２の追焚スイッチ３８を５秒連続で押し続けると同じように報知手段６３により交換時の連絡先が報知される。この場合は「連絡先は東陶機器株式会社、電話番号は、＊＊＊＊です。」と報知される。連絡先記憶手段６１に記憶されている連絡先は操作部６２の操作により書き換えることができるようになっている。よって、リモコンの操作により交換時の連絡先が書き換えられるため、専用の書き換えツール等を必要とせず、簡単に連絡先の書き換えを行うことができる（［００１９］）」と記載されている。
【特許文献１】特開２００１−１２７３４号公報
【発明の開示】
【発明が解決しようとする課題】
【０００５】
従来のように、予め定められた１つの連絡先を表示部に表示する構成では、例えば、空調器の製造者（メーカ）に設置されたサービスセンターの電話番号を表示画面に表示しているが、ユーザによっては、この連絡先ではなく、ビルの施設の管理部門の方に連絡したいというように、表示画面に表示されている連絡先とは異なる連絡先に連絡したいという場合が生じ得る。このように、表示画面に表示している連絡先が全てのユーザが所望する連絡先であるとは必ずしも言えず、表示画面に表示している連絡先が所望の連絡先ではなかった場合、ユーザは、説明書を所定の保管場所から取り出してきて、所望の連絡先を、その説明書に記載されている連絡先の中から探索する作業等を行う必要があり、面倒な作業がユーザに課されることとなる。
【０００６】
本発明は、上述した問題点を解決するためになされたものであり、空調器や給湯器に異常が発生した場合の連絡先としてできるだけユーザの希望に沿った連絡先を速やかに報知できる技術を提供することを目的とする。
【課題を解決するための手段】
【０００７】
請求項１に記載の発明は、空調器（１）又は給湯器において異常が発生した場合に連絡先を報知する連絡先報知システムであって、メッセージを表示する表示部（３６）と、前記空調器（１）又は給湯器における異常の有無を検出する異常検出部（３７）と、前記空調器（１）又は給湯器に異常が発生したときに連絡可能な連絡先として予め設定された複数の連絡先の情報を予め記憶する記憶部（３８）と、前記異常検出部（３７）により異常が検出されると、前記記憶部（３８）に予め記憶されている複数の連絡先の情報のうち予め定められた条件に応じた連絡先の情報を前記表示部（３６）に表示させる表示制御部（３９）とを備えるものである。
【０００８】
この発明によれば、前記空調器又は給湯器に異常が発生したときに連絡可能な連絡先として予め設定された複数の連絡先の情報を記憶部に予め記憶しておき、前記空調器又は給湯器に異常が発生したことを検出すると、前記記憶部に予め記憶されている複数の連絡先のうち予め定められた条件に応じた連絡先を前記表示部に表示させるようにしたので、空調器又は給湯器に異常が発生した場合の連絡先としてできるだけユーザが希望する連絡先をユーザに報知（提供）することが可能となる。
【０００９】
請求項２に記載の発明は、請求項１に記載の連絡先報知システムにおいて、前記複数の連絡先の情報は、表示順が予め設定された状態で前記記憶部（３８）に予め記憶されているものである。
【００１０】
この発明によれば、前記記憶部に予め記憶されている複数の連絡先の情報の中から、予め定められた表示順に従って連絡先が表示される構成を実現することができる。
【００１１】
前記表示順は、請求項３に記載の発明のように時間帯に応じて設定してもよいし、請求項４に記載の発明のように暦に応じて設定してもよいし、或いは、請求項５に記載の発明のように曜日に応じて設定してもよい。
【００１２】
請求項６に記載の発明は、請求項２ないし５のいずれか一項に記載の連絡先報知システムにおいて、前記表示部（３６）は、連絡先の情報を切り替え表示するものであり、前記表示部（３６）に表示する連絡先の情報を切り替える入力を行うための入力操作部（２３，４０）を有し、前記表示制御部（３９）は、前記連絡先の情報を前記表示順にしたがって前記表示部（３６）に表示させるとともに、前記入力操作部（２３，４０）による入力に応じて前記表示部（３６）に切り替え表示させるものである。
【００１３】
この発明によれば、前記連絡先の情報を前記表示順にしたがって前記表示部に表示させるとともに、前記入力操作部による入力に応じて前記表示部に切り替え表示させるようにしたので、使用される可能性の高い連絡先から順に切り替え表示する構成を実現することができる。これにより、連絡先の報知に係る利便性を確保することができる。
【００１４】
請求項７に記載の発明は、請求項１に記載の連絡先報知システムにおいて、前記表示部を備えるとともに、前記空調器（１）又は給湯器の動作を指示する入力を遠隔的に行うための複数のリモコン（４５）を有し、前記記憶部（３８）は、前記各リモコン（４５）と連絡先の情報との対応関係を予め記憶し、前記表示制御部（３９）は、連絡先を表示すべきリモコン（４５）に対応する連絡先の情報を前記記憶部（３８）の記憶内容から導出し、この導出した連絡先の情報を当該リモコン（４５）の表示部に表示するものである。
【００１５】
この発明によれば、リモコンごとに連絡先の情報を設定するようにしたので、リモコンごとに、リモコンの設置場所に適した連絡先の情報を報知することが可能となる。
【００１６】
請求項８に記載の発明は、請求項１に記載の連絡先報知システムにおいて、前記表示制御部（３９）は、前記記憶部（３８）に予め記憶されている複数の連絡先の情報を前記表示部（３６）に一覧形式で表示させるものである。
【００１７】
この発明によれば、前記記憶部に予め記憶されている複数の連絡先の情報を前記表示部に一覧形式で表示するようにしたので、ユーザが最適な連絡先を検討するに際し、複数の連絡先同士の比較を一度に行うことができるため、切り替え表示タイプに比して、所望の連絡先を検討する作業が行いやすくなる。
【発明の効果】
【００１８】
本発明によれば、空調器又は給湯器に異常が発生した場合の連絡先としてできるだけユーザの希望に沿った連絡先を提供することができる。
【発明を実施するための最良の形態】
【００１９】
以下、図面を参照しながら本発明に係る連絡先報知システムが適用された空調器の実施形態について説明する。図１は、空調器の第１の実施形態の構成を示す図である。
【００２０】
図１に示すように、空調器１は、室内の天井面や壁面などに取り付けられる室内機２と、室外の適所に設置される室外機３とを備えて構成されており、室内機２と室外機３とは、配管部４により接続されている。室内機２、室外機３及び配管部４は、環状の冷媒回路を構成し、この冷媒回路に冷媒を循環させることにより室内の空気を冷房又は暖房する。
【００２１】
室内機２には、複数回折り返されてなる伝熱管及び該伝熱管が挿通される複数のフィンを備えて構成され、接触する空気との間で熱交換を行う室内熱交換器５と、室内の空気を室内機２の内部に導入する（吸い込む）とともに前記室内熱交換器５との間で熱交換を行った後の空気を室内に放出する室内ファン６と、前記室内ファン６を回転駆動する室内ファンモータ７とを有する。
【００２２】
室外機３は、冷媒を圧縮する圧縮機８と、前記圧縮機８の吐出側に接続される切換弁９と、前記圧縮機８の吸入側に接続されるアキュムレータ１０と、前記切換弁９に接続された室外熱交換器１１と、室外熱交換器１１に接続された電動弁１２と、室外熱交換器１１による熱交換後の空気を外部に排出するための室外ファン１３とを有する。
【００２３】
電動弁１２は、フィルタ１４及び液閉鎖弁１５を有する配管１７に接続されており、該配管１７を介して室内機２の室内熱交換器５の一端と接続されている。また、切換弁９は、ガス閉鎖弁２８を有する配管１８に接続されており、この配管１８を介して室内機２の室内熱交換器５の他端と接続されている。前記配管１７，１８は、冷媒が流れる配管であり、前記配管部４を構成する。室外ファン１３は、室外ファンモータ１９によって回転駆動される。
【００２４】
このような構成を有する空調器１においては、冷房運転時、圧縮機８から吐出された冷媒が室外熱交換器１１に供給され、該室外熱交換器１１において前記冷媒の凝縮が行われた後、電動弁１２，フィルタ１４、液閉鎖弁１５及び配管１７を介して室内熱交換器５に供給され、該室内熱交換器５において冷媒の蒸発が行われる。この動作により、室内熱交換器５で冷気が生成され、前記室内ファン６によって冷気が室内に放出される。なお、この冷房運転時においては、室内熱交換器５は前記蒸発器として機能し、室外熱交換器１１は前記凝縮器として機能する。
【００２５】
一方、暖房運転時、圧縮機８から吐出された冷媒が配管１８を介して室内熱交換器５に供給され、該室内熱交換器５において前記冷媒の凝縮が行われた後、電動弁１２，フィルタ１４、液閉鎖弁１５及び配管１７を介して室外熱交換器１１に供給され、室外熱交換器１１において冷媒の蒸発が行われる。この動作により、室内熱交換器５で暖気が生成され、前記室内ファン６によって暖気が室内に放出される。なお、この暖房運転時においては、室内熱交換器５は前記凝縮器として機能し、室外熱交換器１１は前記蒸発器として機能する。
【００２６】
図２は、空調器１の構成を示すブロック図である。なお、図１に示す構成と同一の構成については同一の番号を付し、その説明を省略する。
【００２７】
図２に示すように、空調器１は、圧縮機８と、圧縮機駆動部２０と、室内ファン６と、室内ファン駆動部２１と、室外ファン１３と、室外ファン駆動部２２と、入力操作部２３と、表示部３６と、制御部２４とを備えて構成されている。
【００２８】
圧縮機駆動部２０は、圧縮機８を駆動するモータ２５と、該圧縮機モータ２５を駆動させるための駆動信号を生成する圧縮機用モータ駆動回路部２６とを備えて構成されている。室内ファン駆動部２１は、室内ファン６を駆動するモータ７と、該モータ７を駆動させるための駆動信号を生成する室内ファン用モータ駆動回路部３３とを備えて構成されている。室外ファン駆動部２２は、室外ファン１３を駆動するモータ１９と、該モータ１９を駆動させるための駆動信号を生成する室外ファン用モータ駆動回路部３５とを備えて構成されている。
【００２９】
前記圧縮機用モータ駆動回路部２６、前記室内ファン用モータ駆動回路部３３及び室外ファン用モータ駆動回路部３５は、詳細には説明しないが、電力会社の商用電源である交流電源からの交流電圧を直流電圧に変換する図略のコンバータ回路と、コンバータ回路２７から出力された直流電圧を所定レベルの振幅及び周波数を有する交流電圧に変換して、圧縮機モータ２５を駆動させるインバータ回路とを備えて構成されている。
【００３０】
入力操作部２３は、詳細には説明しないが、当該空調器１の動作を制御する図略のリモコンに設置された各種ボタンやスイッチを含むものである。
【００３１】
制御部２４は、図略のＣＰＵ（Central Processing Unit：中央演算処理部）と、そのＣＰＵの動作を規定するプログラムを格納するＲＯＭ（Read Only Memory）やデータを一時的に保管する機能や作業領域としての機能を有するＲＡＭ（Random Access Memory）等を備えて構成されたマイクロコンピュータを有してなり、当該空調器１の全体制御を司るものである。
【００３２】
また、制御部２４は、異常検出部３７と、連絡先情報記憶部３８と、表示制御部３９としての機能を有する。また、表示部３６に表示される連絡先を切り替える入力を行うための連絡先表示切替指示部４０が入力操作部２３に備えられている。
【００３３】
異常検出部３７は、当該空調器１の各部に設置された図略の異常センサの検出信号に基づき、空調器１における異常の有無を検出するものである。
【００３４】
連絡先情報記憶部３８は、複数の連絡先を示す情報（以下、連絡先情報という）を予め記憶しているものである。ここで、前記連絡先情報には、時間帯に応じて優先順位が設定されている。例えば、連絡先情報として３つの連絡先情報Ａ〜Ｃがあるものとすると、図３に示すように、８：３０〜１７：００の時間帯に対して連絡先情報Ａ，Ｂ，Ｃの順の優先順位が設定され、１７：００〜２３：００の時間帯に対して連絡先情報Ｂ，Ｃ，Ａの順の優先順位が設定され、２３：００〜８：３０の時間帯に対して連絡先情報Ｃ，Ｂ，Ａの順の優先順位が設定されている。このように、連絡先情報記憶部３８は、複数の連絡先情報を時間帯ごとに設定された優先順位とともに予め記憶している。なお、図３に示す「１」〜「３」の数字は、優先順位を示す番号である。
【００３５】
表示制御部３９は、前記異常検出部３７により当該空調器１の異常が検出されると、前記連絡先情報記憶部３８に記憶された連絡先情報を表示部３６に表示させるものである。ここで、表示制御部３９は、異常を検出した時点の時刻が属する時間帯に対して設定された優先順位にしたがって、連絡先情報を表示部３６に切り替え表示させる。
【００３６】
すなわち、或る時刻、例えば２２：００に、前記異常検出部３７によって当該空調器１の異常が検出されたものとする。このとき、表示制御部３９は、図４（ａ）の矢印Ａで示すように、所定の位置に異常が発生したことを示す「異常」の文字を表示部３６に表示させる。ユーザが、この表示を視認して連絡先を表示する指示を入力すると、図４（ｂ）に示すように、表示制御部３９は、前記異常が発生した時刻２２：００が属する１７：００〜２３：００の時間帯に対応する、連絡先Ｂ，Ｃ，Ａの順の優先順位に従い、まず連絡先情報Ｂを表示部３６に表示させる。
【００３７】
そして、連絡先表示切替指示部４０により表示部３６に表示される連絡先を切り替える入力が行われると、表示制御部３９は、図４（ｃ）に示すように、表示部３６に連絡先情報Ｃを表示させ、さらに、連絡先表示切替指示部４０により表示部３６に表示される連絡先を切り替える入力が行われると、図４（ｄ）に示すように、表示部３６に連絡先情報Ａを表示させる。これ以降、表示制御部３９は、連絡先表示切替指示部４０による入力に応じて、表示部３６に表示する対象の連絡先情報をサイクリックに切り替える。
【００３８】
次に、本実施形態における連絡先情報の表示処理について説明する。図５は、連絡先情報の表示処理を示すフローチャートである。
【００３９】
図５に示すように、異常検出部３７は、異常を検出すると（ステップ♯１でＹＥＳ）、表示制御部３９は、前記連絡先情報記憶部３８に記憶された複数の連絡先情報の中から最も優先順位が高い連絡先情報を抽出し、該連絡先情報に基づき表示部３６に連絡先の表示を行わせる（ステップ♯２）。
【００４０】
次に、表示制御部３９は、連絡先表示切替指示部４０によって連絡先の切り替え指示がなされると（ステップ♯３でＹＥＳ）、全ての連絡先を一通り表示部３６に表示させたか否かを判断し（ステップ♯４）、全ての連絡先を一通り表示部３６に表示させていないと判断した場合には（ステップ♯４でＮＯ）、次の優先順位の連絡先情報を抽出し、該連絡先情報に基づき表示部３６に連絡先の表示を行わせる（ステップ♯５）。
【００４１】
一方、表示制御部３９は、ステップ♯４において、全ての連絡先を一通り表示部３６に表示させたと判断した場合には（ステップ♯４でＹＥＳ）、ステップ♯２に戻り、最も優先順位が高い連絡先情報を抽出し、該連絡先情報に基づき表示部３６に連絡先の表示を行わせる。
【００４２】
以上のように、本実施形態では、複数の連絡先の情報を予め記憶しておき、空調器１に異常が発生した場合に、連絡先表示切替指示部４０による連絡先の切り替え指示によって、前記複数の連絡先情報が表示部３６に切り替え表示されるようにしたので、個々のユーザに対してそれぞれ所望の連絡先情報を提供することが可能となる。
【００４３】
また、前記複数の連絡先情報を切り替え表示する際の表示順（優先順位）について時間帯ごとに設定し、異常が発生した時間に相応しいと考えられる連絡先情報から順に表示させるようにしたので、空調器１に異常が発生した場合にユーザに課される連絡先の探索作業をできるだけ低減し、該探索作業に係る利便性を確保するとともに、所望の連絡先の速やかな提供をできるだけ多くのユーザに実施することが可能となる。
【００４４】
なお、本件は、前記実施形態に代えて、又は前記実施形態に加えて次のような変形形態も採用可能である。
【００４５】
［１］前記第１の実施形態では、連絡先の表示に関する優先順位が時間帯に応じて設定されていたが、これに限らず、暦や曜日に応じて設定されていてもよいし、空調器１に発生した異常の種類や、異常発生時点における空調動作の種類（冷房運転であるのか暖房運転であるのか等）に応じて設定されていてもよい。
【００４６】
また、当該空調器１において複数のリモコンが設けられており、各リモコンが各所に設置されている場合には、リモコンごとに複数の連絡先情報を設定するとともに各連絡先情報に表示順位を設定し、連絡先を表示する指示が入力されると、該指示が入力されたリモコンに対応する複数の連絡先情報について前記表示順位に従う切り替え表示を行うように構成してもよい。
【００４７】
［２］前記第１の実施形態では、複数の連絡先の情報を予め記憶しておき、空調器１に異常が発生した場合に、この連絡先の情報に基づき、連絡先表示切替指示部４０による連絡先の切り替え指示によって前記複数の連絡先が表示部３６に切り替え表示されるようにしたが、この形態に限らず、図６に示すように、連絡先情報記憶部３８に記憶されている複数の連絡先情報の全部又は一部の複数の連絡先情報を一覧形式で表示部３６に表示するようにしてもよい。
【００４８】
本構成においては、ユーザが最適な連絡先を検討するに際し、複数の連絡先同士の比較を一度に行うことができるため、所望の連絡先を検討する作業が行いやすくなる。
【００４９】
［３］図７は、室外機２及び室内機３を備えてなる冷媒循環系統を４系統備えた空調器を示しており、冷媒循環系統Ａ、Ｂ、Ｃ、Ｄが、それぞれ１台の室外機３に対して４台の室内機２が接続されている構成を示している。また、冷媒循環系統Ａ、Ｂ、Ｃ、Ｄにおいて、室内機２と室外機３との間は、制御信号の授受が可能となるように信号伝送路４１によって接続され、冷媒循環系統Ａ、Ｂ、Ｃ、Ｄは内外伝送系統としての制御系統として機能する。
【００５０】
また、室外機３同士は信号伝送路４２で接続されており、信号伝送路４２には、中央制御ユニット４３が接続されている。中央制御ユニット４３からの制御信号は、この信号伝送路４２及び各信号伝送路４１によって各室内機２と室外機３に送信されて、中央制御ユニット４３により各室外機３及び室内機２が統括的に制御（集中制御）される。
【００５１】
また、各室内機２には、リモコン４５が接続されており、このリモコン４５と室内機２との間で設定温度などの制御信号が授受されて各室内機２が個別にリモコン４５により制御される。また、中央制御ユニット４３には、ON/OFFコントローラ４４が接続されており、複数台の室内機２に対して運転及び停止の制御信号を送信して、各室内機２を制御する。
【００５２】
このように、空調器が、室内機２及び室外機３を備えてなる冷媒循環系統を複数系統備えている場合には、系統と複数の連絡先とを対応付け、或る系統において異常が発生したときに、その系統に対応付けられた複数の連絡先を、予め定められた表示順にしたがって、或いは一覧表示で報知するようにするとよい。
【００５３】
［４］前記表示部３６は、リモコンに搭載してもよいし、室外機３に搭載してもよい。
【００５４】
［５］空調器（制御部２４）が例えばパーソナルコンピュータ等の他の電子機器と通信可能に接続されている場合には、空調器（制御部２４）に格納されている連絡先の情報を、前記電子機器によって遠隔的に書替えできるように構成すると更に好ましい。
【００５５】
［６］前記実施形態では、本発明を空調器に適用したものを示したが、空調器の他に、給湯器に適用したものでもよい。
【図面の簡単な説明】
【００５６】
【図１】空調器の第１の実施形態の構成を示す図である。
【図２】空調器の構成を示すブロック図である。
【図３】連絡先情報記憶部に予め記憶されている、時間帯に応じて優先順位が設定された複数の連絡先情報を示す図である。
【図４】連絡先情報の切り替え表示の態様を示す図である。
【図５】連絡先情報の表示処理を示すフローチャートである。
【図６】連絡先情報記憶部に記憶されている複数の連絡先情報の全部又は一部の複数の連絡先情報を一覧形式で表示部に表示する態様を示す図である。
【図７】室外機及び室内機を備えてなる冷媒循環系統を４系統備えた空調器を示す図である。
【符号の説明】
【００５７】
１    空調器
２    室内機
３    室外機
６    室内ファン
７    室内ファンモータ
８    圧縮機
１３  室外ファン
１９  室外ファンモータ
２０  圧縮機駆動部
２１  室内ファン駆動部
２２  室外ファン駆動部
２３  入力操作部
２４  制御部
２５  圧縮機モータ
２６  圧縮機用モータ駆動回路部
２８  インバータ回路
３３  室内ファン用モータ駆動回路部
３５  室外ファン用モータ駆動回路部
３６  表示部
３７  異常検出部
３８  連絡先情報記憶部
３９  表示制御部
４０  連絡先表示切替指示部
【図１】
2009293824.tif 000003
【図２】
2009293824.tif 000004
【図３】
2009293824.tif 000005
【図４】
2009293824.tif 000006
【図５】
2009293824.tif 000007
【図６】
2009293824.tif 000008
【図７】
2009293824.tif 000009